(57)【特許請求の範囲】
【請求項１】
釣糸に摺動自在に係合され、釣糸に沿って海中に誘導されるイカ釣用ヤエンであって、
細長棒状の本体と、
本体に設けられた掛針と、
本体に設けられ、上記釣糸に係合する釣糸ガイドと、
掛針と釣糸ガイドとの距離を所要の値に調整設定するための距離調整機構とを備え、
上記距離調整機構は、掛針を本体に沿ってスライドさせるスライド機構とを備えたことを特徴とするイカ釣用ヤエン。
【請求項２】
請求項１のイカ釣用ヤエンにおいて、
上記距離調整機構は、掛針を本体に対して着脱自在に連結する連結機構を備えていることを特徴とするイカ釣用ヤエン。
【請求項３】
請求項１又は２に記載のイカ釣用ヤエンにおいて、
上記距離調整機構は、
本体の長さを伸縮させる伸縮機構を備えていることを特徴とするイカ釣用ヤエン。
【発明の詳細な説明】
【０００１】
【発明の属する技術の分野】
この発明は、イカ釣り用に使用される仕掛け、すなわちヤエンに関するものである。
【０００２】
【従来の技術および発明が解決しようとする課題】
イカ釣りには従来からヤエンと呼ばれる仕掛けが使用されている。従来のヤエンの構造は、図１４に示すようなものである。
【０００３】
同図を参照して、ヤエン１は、先端にベイトフィッシュ２を取り付けた釣糸３に引っ掛けられて海中へ誘導されるようになっている。そして、ヤエン１の先端には掛針４，５が備えられており、これらがベイトフィッシュ２に食いついたイカに掛かるようになっている。ヤエン１は、金属製の本体６を備えており、この先端に上記掛針４，５が取り付けられ、基端側には、釣糸３に係合するための釣糸ガイド７，８が設けられている。なお、海中へ円滑に誘導するために、本体６には重錘９が設けられている。
【０００４】
ところで、従来から、イカを確実に取り込むためには、釣糸ガイド７と掛針４との距離ｓを、掛かったイカの大きさに合わせるのが有効であると言われている。このため、釣人は、イカがベイトフィッシュ２に食いついたときに釣竿および釣糸３を通じて伝わるイカの大きさを予測し、それに基づいて適当な寸法ｓを有するヤエンを選択していた。
【０００５】
しかしながら、これでは、予め上記寸法ｓが異なるさまざまなヤエンを複数準備しておく必要があり、その中から適切なものを選択しなければならないという不便があった。
【０００６】
そこで、本発明は、一つの種類でさまざまなイカのサイズに対応できるヤエンを提供することを目的とするものである。
【０００７】
【課題を解決するための手段】
(1) 本願発明者は、ヤエンに設けられた掛針の位置と釣糸ガイドとの距離を調整することのできる構造とすることにより、上記目的を達成できると考えた。
【０００８】
そこで、本願に係るヤエンは、釣糸に摺動自在に係合され、釣糸に沿って海中に誘導されるイカ釣用ヤエンであって、細長棒状の本体と、本体に設けられた掛針と、本体に設けられ、上記釣糸に係合する釣糸ガイドと、掛針と釣糸ガイドとの距離を所要の値に調整設定するための距離調整機構とを備え、上記距離調整機構は、掛針を本体に沿ってスライドさせるスライド機構とを備えたことを特徴とするものである。
【０００９】
この構成によれば、イカがヒットした場合に、掛針と釣糸ガイドとの距離を、釣人が予想するイカのサイズに合わせて意図的に調整し設定することができる。
【００１０】
上記距離調整機構は、掛針を本体に沿ってスライドさせるスライド機構を備える。この機構により掛針を本体に沿ってスライドさせることによって、ヒットしたイカの大きさに合わせて掛針と釣糸ガイドとの距離を簡単に調整・設定することができる。
【００１１】
上記距離調整機構は、釣糸ガイドを本体に沿ってスライドさせる機構を備えるようにすることができる。この機構により釣糸ガイドを本体に沿ってスライドさせることによって、ヒットしたイカの大きさに合わせて掛針と釣糸ガイドとの距離を簡単に調整・設定することができる。
【００１２】
(2) さらに、上記距離調整機構は、掛針を本体に対して着脱自在に連結する連結機構を備えるように構成することもできる。この構成によれば、次のような作用を奏する。
【００１３】
すなわち、掛針は、通常、本体の長手方向に沿って所定間隔をあげて複数設けられるものであるところ、連結機構を利用して釣糸ガイド側に配置されている掛針を取り外すことによって、結果として掛針と釣糸ガイドとの距離を意図的に大きくすることができる。逆に、連結機構を利用して掛針を本体に取り付けることによって、結果として掛針と釣糸ガイドとの距離を意図的に小さくすることができる。
【００１４】
(3) また、上記距離調整機構は、本体の長さを伸縮させる伸縮機構を備えて構成することができる。このようにすれば、本体の、掛針と釣糸ガイドとの中間部分の長さを変化させることにより、掛針と釣糸ガイドとの距離を調整・設定することができる。
【００１５】
【発明の実施の形態】
以下、本発明の実施の形態について説明する。
＜第１の実施形態＞
(1) 概略構成
図１は、本発明の第１の実施形態に係るイカ釣り用ヤエン（以下、単に「ヤエン」という。）１０の斜視図である。
【００１６】
このヤエン１０は、釣糸（図示せず）に引っ掛けて釣糸に沿って海中に誘導・沈下されるようになっており、本体１１と、本体１１の先端側に設けられた掛針１２，１３と、上記釣糸が挿通されるガイド１４，１５（釣糸ガイド）と、ガイド１４を本体１１に対してスライドさせるスライド機構１６（距離調整機構）とを備えている。
【００１７】
(2) 本体、掛針、ガイド
本体１１、掛針１２，１３、ガイド１４，１５は、たとえばステンレス鋼等により構成することができる。掛針１２，１３については、高炭素鋼等を使用することもできる。
【００１８】
本体１１は、図に示すように細長棒状に形成されており、海中に誘導された際に抵抗が小さく速やかに沈下するようになっている。具体的には、ステンレス線材等を使用して本体１１を構成することができる。なお、本実施形態では、ヤエン１０が速やかに沈下するように、重錘１７が設けられている。この重錘１７は鉛等により構成することができる。
【００１９】
ガイド１５は、本体１１に連続して形成されている。すなわち、ガイド１５は、本体１１の基端部を略９０度に屈曲させて構成されており、さらにその上端部に釣糸係合部１８が形成されている。この釣糸係合部１８は、ガイド１５を構成する棒状部材の端部を渦巻状に巻回して形成されている。
【００２０】
一方、ガイド１４は、本体１１と同様に細長棒状部材（ステンレス線材等）を用いて構成することができる。ガイド１４の一端部は、後に詳述するスライド機構１６に連結されている。また、ガイド１４の他端部は渦巻状に巻回されており、これにより、釣糸係合部１９が構成されている。
【００２１】
ヤエン１０を海中に誘導する際には、釣糸を釣糸係合部１８，１９に係合させるのであるが、その場合に釣糸は、釣糸係合部１８，１９の渦巻に沿って釣糸係合部１８，１９の内部へ案内され、これにより、釣糸と釣糸係合部１８，１９とは摺動自在に係合されることになる。つまり、ヤエン１０は、当該釣糸に沿って海中に沈下するようになっている。
【００２２】
掛針１２，１３は、一般的なイカ釣用の針を採用することができ、本実施形態では、本体１１の所定の位置に所要の固着部材２０を用いて固定されている。固着部材２０としては、掛針１２，１３を本体１１に締結するための布製または樹脂製の糸や、接着剤等を採用することができるが、掛針１２，１３を直接本体１１に溶接等することもできる。
【００２３】
(3) スライド機構
次にスライド機構１６について説明する。図２は、スライド機構１６の構造を示す断面図であり、(a)図はガイド１４のスライドを規制した状態、(b)図は、スライドを許容した状態を示している。
【００２４】
スライド機構１６は、内筒２１および内筒２１の外側に螺合された外筒２２とを有し、外筒２２を回転させることによって内筒２１の内径が変化し、それによって内筒２１に挿通された本体１１が締め付けられるようになっている。
【００２５】
内筒２１は全体として円形の筒状を呈しており、基部２３と、基部２３に延設され、外径が漸次拡径されたクランプ部２４とを有している。基部２３は、外径および内径が一定の真直な円筒状に形成されており、その外周面に雄ねじ２５が形成されている。
【００２６】
また、クランプ部２４は、外径が漸次拡径されることによっていわゆる錐形に形成されている。しかも、クランプ部２４には、図示していないが複数のスリットが形成されている。これらスリットは、クランプ部２４の周方向に放射状にかつ軸方向に沿って形成されており、そのため、クランプ部２４が径方向に弾性変形可能となっている。さらに、クランプ部２４が全体として錐形に形成されることにより、その外周面は、テーパ面２６に形成されている。なお、このクランプ部２４の端部には、ガイド１４が固着されている。
【００２７】
この内筒２１の中央部には、軸方向に沿って貫通孔２７が設けられている。この貫通孔２７の内径は、上記本体１１の外径に対応しており、本体１１は、がたつき等を生じることなく内筒２１に沿ってスライドすることができるようになっている。
【００２８】
外筒２２は、全体として円筒状に形成されており、その外周面にローレットが形成されている。外筒２２の中央部には貫通孔２８が設けられており、同図において貫通孔２８の右側部分は、その内径が漸次拡径されている。貫通孔２８の左側部分の内周面には雌ねじ２９が形成されており、内筒２１の雄ねじ２５部分と螺合している。また、貫通孔２８の拡径された部分は、その内周面がテーパ面３０として構成されている。
【００２９】
したがって、図２に示すように、外筒２２を内筒２１に螺合させてねじ込むことにより、外筒２２のテーパ面３０が内筒のテーパ面２６に当接する。そして、そのまま外筒２２を締め込むことにより、外筒２２によってクランプ部２４が締め付けられて、貫通孔２７の内径が小さくなる。すなわち、同図(b)の状態では、本体１１は内筒２１に対してスライド自在な状態であり、この状態から外筒２２を締め込むことにより、本体１１は内筒２１に締め付けられて、内筒２１に対してスライドが規制されることになる。
【００３０】
再び図１を参照して、このスライド機構１６により、ガイド１４が本体１１に沿ってスライドすることができることから、掛針１２とガイド１４との間の距離Ｓを調整し設定することができ、スライド機構１６は、かかる距離Ｓを調整するための距離調整機構として機能する。
【００３１】
(4) ヤエンの使用態様
本実施形態に係るヤエン１０は、次のようにして使用する。
【００３２】
まず、釣糸の先端に取り付けた餌（ベイトフィシュ等）にイカが食いついた場合には、釣人は、釣糸および釣竿等の感触を通じてそのイカのサイズを予測することができる。そして、上記スライド機構１６により、そのイカのサイズに合わせて上記距離Ｓを意図的に所要の値に設定する。その後、釣糸をヤエン１０のガイド１４，１５に係合させ、釣糸に沿ってヤエン１０を海中に誘導・沈下させる。ヤエン１０がイカに到達した場合には、ガイド１４と掛針１２との間の距離Ｓが当該イカのサイズに対応されているから、掛針１２および掛針１３が確実にイカに掛かる。その結果、ヒットしたイカを効果的に取り込むことができる。
【００３３】
このように本実施形態に係るヤエン１０によれば、ヒットしたイカの大きさに合わせて掛針１２とガイド１４との間の距離Ｓを釣人が意図的に調整・設定することができるので、当該ヤエン１０を一つ用意しておくことにより、さまざまなサイズのイカに対応することができる。
【００３４】
特に、本実施形態では、上記距離Ｓを調整するためにスライド機構１６を採用しており、図２に示したように、外筒２２を内筒２１に対して締め込むことによりガイド１４のスライドを規制し、また緩めることによりガイド１４を本体１１に対してスライドさせることができるので、簡単な構造により、きわめて簡単かつ迅速に上記距離Ｓを自在に調整することができるという利点がある。
【００３５】
(5) 実施形態の変形例
次に、本実施形態の変形例について説明する。
【００３６】
図３は、第１の変形例に係るヤエン１０の要部拡大斜視図であり、具体的には、当該変形例に係るスライド機構３２の構造を示すものである。
【００３７】
この変形例に係るスライド機構３２は、スライドリング３３と、これを係止するための止めねじ３４とを有している。スライドリング３３には、本体１１の外径に対応する内径の貫通孔（図示せず）が形成されており、この貫通孔に本体１１が挿通されている。また、スライドリング３３には、径方向に沿って貫通するねじ穴３５が設けられており、このねじ穴３５に止めねじ３４がねじ込まれている。なお、本変形例では、スライドリング３３が図に示すような段付き形状となっているが、真直な筒状に形成することもできる。
【００３８】
したがって、止めねじ３４を緩めた状態では、スライドリング３３は本体１１に沿って自由にスライドすることができ、止めねじ３４を締め込むことによって当該止めねじ３４が本体１１を押圧し、そのスライドが規制される。なお、止めねじ３４の頭部には、止めねじ３４を操作する際の滑り止めのために、ローレット３６を形成することもできる。
【００３９】
この変形例でも、釣人は、止めねじ３４を操作することによって、簡単に上記距離Ｓを意図的に調整することができ、当該ヤエン１０を一つ用意しておくことにより、さまざまなサイズのイカに対応することができる。
【００４０】
次に、図４は、第２の変形例に係るヤエン１０の要部拡大斜視図であり、具体的には、当該変形例に係るスライド機構３８の構造を示すものである。
【００４１】
この変形例に係るスライド機構３８は、スライドリング３９と、断面が楕円形状に形成された本体１１により構成されている。なお、本体１１全体をかかる断面楕円形状に形成する必要はなく、スライドさせたい部分についてのみ断面を楕円形状とすることもできる。
【００４２】
図５は、スライドリング３９部分の断面図である。スライドリング３９には、図５に示すような貫通孔４０が設けられており、この貫通孔４０は、長径と短径とを有する略楕円形状を呈している。そして、この貫通孔４０の短径が、上記本体１１の最大外径に対応している。
【００４３】
したがって、同図(a)の状態から本体１１をその軸方向回りに回転させることにより（本体１１の軸方向回りにスライドリング３９を回転させてもよい）、同図(b)に示すように、本体１１がスライドリング３９の貫通孔４０の内面に押圧され、両者の弾性変形により互いに圧着固定される。これにより、スライドリング３９は、本体１１に対してそのスライドが規制されることになる。なお、同図(b)の状態から同図(a)の状態に戻すことにより、スライドリング３９が本体１１に対して自在にスライドすることができるのはいうまでもない。
【００４４】
この変形例でも、釣人は、本体１１に対してスライドリング３９を相対的に回転させるという簡単な操作により、本体１１に対するスライドリング３９の位置を自在に変化させることができるから、簡単に上記距離Ｓを調整し設定することができる。その結果、当該ヤエン１０を一つ用意しておくことにより、さまざまなサイズのイカに対応することができる。
【００４５】
次に、図６は、第３の変形例に係るヤエン１０の斜視図である。また、図７は、当該変形例に係るスライド機構４３の構造を示す要部拡大斜視図である。
【００４６】
この変形例に係るスライド機構４３は、スライドリング４４と、この両端部に配設された止めゴム４５，４６とを有している。
【００４７】
図７を参照して、スライドリング４４には、本体１１の外径に対応する内径の貫通孔（図示せず）が形成されており、この貫通孔に本体１１が挿通されている。また、スライドリング４４には、ガイド１４が一体的に設けられている。
【００４８】
止めゴム４５は、たとえば図に示すような紡錘形に形成することができる。もっとも、止めゴム４５の形状は、かかる紡錘形に限定されることはない。止めゴム４５には、その軸方向に沿って本体挿通孔（図示せず）が設けられている。この本体挿通孔に本体１１が挿通されるのであるが、その内径は小さく設定されており、本体１１を挿通した状態で本体挿通孔が弾性変形により拡径し、その緊迫力で本体１１に係止するようになっている。なお、止めゴム４６も同様の構成である。
【００４９】
したがって、図７に示すように、本体１１をスライドリング４４に挿通し、このスライドリング４４を止めゴム４５，４６により挟み込むことにより、スライドリング４４のスライドが規制される。また、止めゴム４５，４６は、本体１１に沿って移動させることができることから、スライドリング４４の位置を本体１１に対して移動させることができる。
【００５０】
すなわち、この変形例でも、釣人は、止めゴム４５，４６の位置をずらすことにより、掛針１２とガイド１４との間の距離Ｓを簡単に調整し設定することができ、当該ヤエン１０を一つ用意しておくことにより、さまざまなサイズのイカに対応することができる。
【００５１】
次に、図８は、第４の変形例に係るヤエン１０の斜視図である。また、図９は、当該変形例に係るスライド機構４８の構造を示す要部拡大斜視図である。
【００５２】
この変形例に係るスライド機構４８は、スライドパイプ４９と、これを係止するための止めねじ５０とを有している。スライドパイプ４９には、本体１１の外径に対応する内径の貫通孔５１が形成されており、この貫通孔５１に本体１１が挿通されている。また、スライドパイプ４９には、径方向に沿って貫通するねじ穴５２が設けられており、このねじ穴５２に止めねじ５０がねじ込まれている。さらに、このスライドパイプ４９の両端部には、上記ガイド１４，１５が一体的に設けられている。
【００５３】
すなわち、止めねじ５０を緩めた状態では、スライドパイプ４９本体１１に沿って自由にスライドすることができ、止めねじ５０を締め込むことによって当該止めねじ５０が本体１１を押圧し、そのスライドが規制される。なお、止めねじ５０の頭部には、止めねじ５０を操作する際の滑り止めのために、ローレット５３を形成することもできる。
【００５４】
この変形例でも、釣人は、止めねじ５０を操作することによって、掛針１２とガイド１４との間の距離Ｓを簡単に調整し設定することができ、当該ヤエン１０を一つ用意しておくことにより、さまざまなサイズのイカに対応することができる。
【００５５】
なお、本変形例において、スライドパイプ４９を金属で構成することにより、ヤエン１０を海中に沈めるための重錘を別途設ける必要がない。
＜第２の実施形態＞
次に、本発明の第２の実施形態について説明する。
【００５６】
図１０は、本発明の第２の実施形態に係るヤエン６０の斜視図である。
【００５７】
本実施形態に係るヤエン６０が上記第１の実施形態に係るヤエン１０と異なるところは、第１の実施形態に係るヤエン１０では、ガイド１４と掛針１２との間の距離Ｓを調整するためにガイド１４の位置を変化させるようにしたのに対し、本実施形態に係るヤエン６０は、本体１１の全長Ｌを変化させることにより、上記距離Ｓを調整するようにした点である。なお、その他の構成については第１の実施形態と同様であり、同様の構成については同様の参照符号を付してその説明を省略する。
【００５８】
このヤエン６０は、本体１１を伸縮させる伸縮機構６１を備えている。また、本体１１は２分割されており、本体前部６２および本体後部６３が伸縮機構６１に接続されている。
【００５９】
図１１は、伸縮機構６１の構造を示す要部分解斜視図である。
【００６０】
同図に示すように伸縮機構６１は、スライド片６４およびスライド片６５と、これらを互いに締結する連結具６６とを有する。
【００６１】
スライド片６４は、略全体が半円柱状に形成されており、その上面により当接面６８が構成されている。また、スライド片６４の端部６７は、円柱状に形成されており、この端部６７に本体前部６２が連結されている。
【００６２】
一方、スライド片６５も、略全体が半円柱状に形成されており、その下面により当接面６９が構成されている。また、スライド片６５の端部７０は、円柱状に形成されており、この端部７０に本体後部６３が連結されている。
【００６３】
したがって、上記各当接面６８，６９を対向させて両スライド片６４，６５を合わせると、全体として円柱状の部材となり、両スライド片６４，６５は、後述のように互いに相対的にスライドすることができるようになっている。
【００６４】
なお、ガイド１４は、本実施形態では本体後部６３に設けられているが、スライド片６５の端部７０に設けてもよい。
【００６５】
連結具６６は、連結リング７１と止めねじ７２とを有している。連結リング７１には、上記各スライド片６４，６５が合わさって形成される円柱状部材の外径に対応する内径の貫通孔７３が形成されており、この貫通孔７３に両スライド部材６４，６４が挿通されるようになっている。また、連結リング７１には、径方向に沿って貫通するねじ穴７４が設けられており、このねじ穴７４に止めねじ７２がねじ込まれている。
【００６６】
したがって、止めねじ７２を緩めた状態では、各スライド片６４，６５は矢印７６の方向に相対的に自由にスライドすることができ、止めねじ７２を締め込むことによって当該止めねじ７２がスライド片６５を押圧し、その結果、両スライド片６４，６５が互いに押圧されて、両者間のスライドが規制される。なお、止めねじ７２の頭部には、止めねじ７２を操作する際の滑り止めのために、ローレット７５を形成することもできる。
【００６７】
特に、各スライド片６４，６５は、上記当接面６８，６９が当接し合うので、止めねじ７２を締め付けた際に両当接面６８，６９間に大きな摩擦力が生じ、その結果、両スライド片６４，６５のスライド規制を確実に行うことができるという利点がある。
【００６８】
本実施形態によれば、伸縮機構６１を操作することによって、各スライド片６４，６５を矢印７６の方向、すなわち本体１１の長手方向にスライドさせることができることから、二分割された本体１１の全長Ｌを調整することができる。つまり、本体前部６２に設けられた掛針１２と本体後部６３に設けられたガイド１４との間の距離Ｓ（図１０参照）を釣人が意図的に調整し設定することができる。
【００６９】
その結果、ヒットしたイカの大きさに合わせて、掛針１２とガイド１４との間の距離Ｓを調整し設定することができるので、当該ヤエン６０を一つ用意しておくことにより、さまざまなサイズのイカに対応することができる。
【００７０】
なお、本実施形態において、スライド片６４，６５を金属で構成することにより、ヤエン６０を海中に沈めるための重錘を別途設ける必要がない。
【００７１】
特に本実施形態では、本体１１を伸縮させる機構として、相対的にスライドするスライド片６４，６５を設け、これらのスライドを連結具６６により許容／規制するという構造を採用しているから、構造が簡単であり、本体１１の伸縮を円滑に行うことができるという利点がある。
＜第３の実施形態＞
次に、本発明の第３の実施形態について説明する。
【００７２】
図１２は、本発明の第３の実施形態に係るヤエン８０の斜視図である。
【００７３】
本実施形態に係るヤエン８０が上記第１の実施形態に係るヤエン１０と異なるところは、第１の実施形態に係るヤエン１０では、ガイド１４と掛針１２との間の距離Ｓを変化させるためにガイド１４の位置を変化させるようにしたのに対し、本実施形態に係るヤエン８０は、掛針１２の位置を変化させることにより、上記距離Ｓを調整するようにした点である。
【００７４】
そして、かかる構造とすることによって、ガイド１４は、本体１１に固定される構造となっている。この固定するための手段８２としては、ガイド１４を本体１１に締結するための布製または樹脂製の糸や、接着剤等を採用することができるが、ガイド１４を直接本体１１に溶接等することもできる。
【００７５】
なお、その他の構成については第１の実施形態と同様であり、同様の構成については同様の参照符号を付してその説明を省略する。
【００７６】
図１３は、掛針１２をスライドさせるためのスライド機構８１（特許請求の範囲の欄に記載された「スライド機構」の一例）を示す要部斜視図である。
【００７７】
このスライド機構８１は、スライドリング８３と、これを係止するための止めねじ８４とを有している。スライドリング８３には、本体１１の外径に対応する内径の貫通孔（図示せず）が形成されており、この貫通孔に本体１１が挿通されている。
【００７８】
また、スライドリング８３には、径方向に沿って貫通するねじ穴が設けられている。当該ねじ穴は同図では図示していないが、図中スライドリング８３の下方から鉛直上方へ、上記貫通孔に連通するように形成されている。このねじ穴３５に止めねじ８４がねじ込まれている。なお、止めねじ８４の頭部には、止めねじ８４を操作する際の滑り止めのために、ローレット８５を形成することもできる。
【００７９】
また、掛針１２は、このスライドリング８３に一体的に形成されているが、掛針１２を別途構成し、これをスライドリング８３に固定するようにしてもよい。
【００８０】
このスライド機構８１によれば、止めねじ８４を緩めた状態では、スライドリング８３は本体１１に沿って自由にスライドすることができ、止めねじ８４を締め込むことによって当該止めねじ８４が本体１１を押圧し、そのスライドが規制される。
【００８１】
したがって、本実施形態においても、釣人は、止めねじ８４を操作することによって、掛針１２を本体１１に対して簡単にスライドさせることができる。したがって、簡単な操作によって上記距離Ｓを意図的に調整し設定することができ、当該ヤエン８０を一つ用意しておくことにより、さまざまなサイズのイカに対応することができる。
【００８２】
加えて本実施形態では、掛針１２を本体１１に対してスライドさせるために、上述のようなスライド機構８１を採用しているが、かかるスライド機構８１に代えて、上記第１の実施形態で示した各変形例を適用することができるのは勿論である。
【００８３】
【発明の効果】
以上のように本発明によれば、距離調整機構によって、ヒットしたイカの大きさに合わせて掛針と釣糸ガイドとの距離を、釣人が意図する寸法に調整・設定することができるから、当該一つのイカ釣用ヤエンを用意しておくことにより、さまざまなサイズのイカに対応することができる。
【図面の簡単な説明】
【図１】本発明の第１の実施形態に係るヤエンの斜視図である。
【図２】本発明の第１の実施形態に係るスライド機構の構造を示す断面図であり、(a)図はスライドを規制した状態、(b)図は、スライドを許容した状態を示している。
【図３】第１の実施形態の第１の変形例に係るヤエンの要部拡大斜視図である。
【図４】第１の実施形態の第２の変形例に係るヤエンの要部拡大斜視図である。
【図５】第２の変形例に係るスライドリング部分の断面図であり、(a)図はスライドを許容した状態、(b)図はスライドを規制した状態を示している。
【図６】第１の実施形態の第３の変形例に係るヤエンの斜視図である。
【図７】第３の変形例に係るスライド機構の構造を示す要部拡大斜視図である。
【図８】第１の実施形態の第４の変形例に係るヤエンの斜視図である。
【図９】第４の変形例に係るスライド機構の構造を示す要部拡大斜視図である。
【図１０】本発明の第２の実施形態に係るヤエンの斜視図である。
【図１１】本発明の第２の実施形態に係る伸縮機構の構造を示す要部分解斜視図である。
【図１２】本発明の第３の実施形態に係るヤエンの斜視図である。
【図１３】本発明の第３の実施形態に係る掛針をスライドさせるためのスライド機構を示す要部斜視図である。
【図１４】従来のヤエンの構造を示す図である。
【符号の説明】
１０  ヤエン
１１  本体
１２  掛針
１３  掛針
１４  ガイド
１５  ガイド
１６  スライド機構
２１  内筒
２２  外筒
２４  クランプ部
２６  テーパ面
３０  テーパ面
３２  スライド機構
３３  スライドリング
３４  止めねじ
３８  スライド機構
３９  スライドリング
４３  スライド機構
４４  スライドリング
４５  止めゴム
４６  止めゴム
４８  スライド機構
４９  スライドパイプ
５０  止めねじ
６０  ヤエン
６１  伸縮機構
６４  スライド片
６５  スライド片
６６  連結具
８０  ヤエン
８１  スライド機構
８３  スライドリング
８４  止めねじ
【図１】
0004803915.tif 000002
【図２】
0004803915.tif 000003
【図３】
0004803915.tif 000004
【図４】
0004803915.tif 000005
【図５】
0004803915.tif 000006
【図６】
0004803915.tif 000007
【図７】
0004803915.tif 000008
【図８】
0004803915.tif 000009
【図９】
0004803915.tif 000010
【図１０】
0004803915.tif 000011
【図１１】
0004803915.tif 000012
【図１２】
0004803915.tif 000013
【図１３】
0004803915.tif 000014
【図１４】
0004803915.tif 000015